(57)【要約】【課題】コネクタハウジングに対する電線カバーの組み付け作業性を悪化させることなく、コネクタハウジングに対する電線カバーのガタつきを抑制する。【解決手段】コネクタハウジング１０と、コネクタハウジング１０から後方に引き出された電線Ｗを屈曲させて下方へ導出させるためにコネクタハウジング１０に組み付けられる電線カバー５０とを備えたコネクタであって、コネクタハウジング１０の外側面には、前方に延びる受け溝１６と、受け溝１６の上方に位置する係止爪１７とが形成され、電線カバー５０には、受け溝１６に挿入可能なリブ５４と、係止爪１７と係止可能な係止孔５５を備えた撓み部５７とが形成され、受け溝１６における後方開口縁には傾斜面１９が形成され、リブ５４には、傾斜面１９と面接触可能な傾斜当接面５８が形成されている。【選択図】図５
2012054206.tif 000002
【特許請求の範囲】
【請求項１】
電線が接続された端子金具が装着されたコネクタハウジングと、前記コネクタハウジングの後面から後方に引き出された前記電線を屈曲させてその引き出し方向とは異なる方向へ導出させるために前記コネクタハウジングの後面に後方から組み付けられる電線カバーとを備えたコネクタであって、
前記コネクタハウジングの外側面には、前記コネクタハウジングの後面から前方に延びる受け溝と、前記受け溝を中心として前記電線の導出方向側とは反対側に位置する係止爪とが形成され、
前記電線カバーの内側面には、前後方向に延びて、前記受け溝の内壁との間にクリアランスを有した状態に挿入されるリブと、弾性変形可能に形成され、前記係止爪との間にクリアランスを有した状態で前記係止爪に係止される係止孔を備えた弾性係止片とが形成され、
前記受け溝における後方開口縁には、後方に向かって間口が広くなるように傾斜面が形成され、
前記リブには、後方に向かって拡幅した形態をなし、前記電線カバーが前記コネクタハウジングに組み付けられた時に、前記傾斜面と面接触可能な傾斜当接面が形成されていることを特徴とするコネクタ。
【請求項２】
前記傾斜面は、前記受け溝の溝幅方向両側における後方開口縁に形成され、前記傾斜当接面は、前記リブの長手方向と直交する幅方向両側に拡幅した形態に形成されていることを特徴とする請求項１に記載のコネクタ。
【発明の詳細な説明】
【技術分野】
【０００１】
本発明は、電線カバーを備えたコネクタに関する。
【背景技術】
【０００２】
例えば、電線カバーを備えたコネクタとして、特許文献１に記載のものが知られている。このコネクタの電線カバーは、コネクタハウジングの後部に取り付けられ、コネクタハウジングの後端から導出される電線を電線カバーの背面板によってＬ字状に下方に曲げて配策することができるようになっている。
【０００３】
電線カバーの左右両側壁には、上下方向中央部に位置して電線カバーの組み付け方向と同一方向に延びる一対のリブと、リブの下方に位置して係止孔を有する一対の弾性係止片とが形成されている。一対のリブは、コネクタハウジングの左右両側面に設けられた受け溝に挿入可能とされており、コネクタハウジングに電線カバーが組付けられた時には、受け溝に設けられた受面と、リブに設けられた当接面とが面接触状態に当接することで、電線カバーの組み付け方向と交差する方向に電線カバーがガタつくことを規制している。また、両弾性係止片にはコネクタハウジングに設けられた一対の係止爪と係止可能な係止孔がそれぞれ設けられており、この係止孔はコネクタハウジングに電線カバーが組付けられた時には、係止爪と係止することで、電線カバーがコネクタハウジングから脱落することを規制している。
【先行技術文献】
【特許文献】
【０００４】
【特許文献１】特開２００５−３４７０８２号公報
【発明の概要】
【発明が解決しようとする課題】
【０００５】
ところが、自動車のオートマチックトランスミッション等のケース内においては、この種のコネクタが利用可能なスペースは限られている。そのため、コネクタを装着するためのケース内のユニットの形状も制限されており、上記のコネクタをユニットに装着する場合には、電線カバーの弾性係止片とケース内のユニットとが干渉して電線カバーが装着できないといった問題がある。
【０００６】
以上のことから、弾性係止片及び係止爪の位置を、リブ及び受け溝の位置よりも上方に変更することで、ケース内のユニットと、弾性係止片との干渉を回避する構造が検討されている。
【０００７】
しかしながら、弾性係止片及び係止爪の位置を、リブ及び受け溝の位置よりも上方に変更すると、弾性係止片及び係止爪の位置が、リブ及び受け溝の位置よりも下方にある場合に比べて、電線カバーが、係止爪の周辺を回動中心として前後方向に変位するといったガタつきの問題が生じる。この対策として、係止爪と係止孔との間のクリアランスを無くしたり、受け溝とリブとのクリアランスを無くしたりすることでガタつきを規制すると、コネクタハウジングに対して電線カバーを組み付ける時の摩擦力が大きくなり、電線カバーを円滑に組付けることができなくなるなど、作業性が悪くなるといった問題がある。
【０００８】
本発明は上記のような事情に基づいて完成されたものであって、コネクタハウジングに対する電線カバーの組み付け作業性を悪化させることなく、コネクタハウジングに対する電線カバーのガタつきを抑制することを目的とする。
【課題を解決するための手段】
【０００９】
上記の目的を達成するための手段として本発明は、電線が接続された端子金具が装着されたコネクタハウジングと、前記コネクタハウジングの後面から後方に引き出された前記電線を屈曲させてその引き出し方向とは異なる方向へ導出させるために前記コネクタハウジングの後面に後方から組み付けられる電線カバーとを備えたコネクタであって、前記コネクタハウジングの外側面には、前記コネクタハウジングの後面から前方に延びる受け溝と、前記受け溝を中心として前記電線の導出方向側とは反対側に位置する係止爪とが形成され、前記電線カバーの内側面には、前後方向に延びて、前記受け溝の内壁との間にクリアランスを有した状態に挿入されるリブと、弾性変形可能に形成され、前記係止爪との間にクリアランスを有した状態で前記係止爪に係止される係止孔を備えた弾性係止片とが形成され、前記受け溝における後方開口縁には、後方に向かって間口が広くなるように傾斜面が形成され、前記リブには、後方に向かって拡幅した形態をなし、前記電線カバーが前記コネクタハウジングに組み付けられた時に、前記傾斜面と面接触可能な傾斜当接面が形成されているところに特徴を有する。
【００１０】
このような構成のコネクタによると、電線カバーがコネクタハウジングに装着された時には、受け溝の後方開口縁に形成された傾斜面と、リブに形成された傾斜当接面とが面接触することで、傾斜面及び傾斜当接面と交差する方向への電線カバーのガタつきを抑制することができる。これにより、コネクタハウジングに対する電線カバーの組み付け作業性を悪化させることなく、コネクタハウジングに対する電線カバーのガタつきを抑制することができる。
【００１１】
本発明の実施の態様として、以下の構成が望ましい。
前記傾斜面は、前記受け溝の溝幅方向両側における後方開口縁に形成され、前記傾斜当接面は、前記リブの長手方向と直交する幅方向両側に拡幅した形態に形成されている構成としてもよい。
このような構成によると、電線カバーが受け溝の溝幅方向両側の何れの方向にガタつく場合にも、そのガタつきを抑制することができる。
【発明の効果】
【００１２】
本発明によれば、コネクタハウジングに対する電線カバーの組み付け作業性を悪化させることなく、コネクタハウジングに対する電線カバーのガタつきを抑制することができる。
【図面の簡単な説明】
【００１３】
【図１】実施形態に係るコネクタハウジングに電線カバーを装着する前の状態を示す側面図
【図２】実施形態に係るコネクタハウジングに電線カバーを組み付ける前の状態を側方から見た断面図
【図３】実施形態に係るコネクタハウジングに電線カバーを組み付ける前の状態を上方から見た断面図
【図４】実施形態に係るコネクタハウジングに電線カバーを組み付けた状態を示す側面図
【図５】実施形態に係るコネクタハウジングに電線カバーを組み付けた状態において傾斜面と拡幅傾斜面とが接触した状態を側方から見た断面図
【図６】実施形態に係るコネクタハウジングに電線カバーを組み付けた状態を側方から見た断面図
【図７】実施形態に係るコネクタハウジングに電線カバーを組み付けた状態を上方から見た断面図
【図８】実施形態に係る電線カバーの正面図
【図９】参考例１に係るコネクタハウジングに電線カバーを組み付ける前の状態を側方から見た断面図
【図１０】参考例１に係るコネクタハウジングに電線カバーを組み付けた状態を側方から見た断面図
【図１１】参考例２に係るコネクタハウジングに電線カバーを組み付けた状態を側方から見た断面図
【発明を実施するための形態】
【００１４】
＜実施形態＞
本発明の一実施形態について図１乃至図８を参照しながら説明する。
本実施形態のコネクタは、合成樹脂製のコネクタハウジング１０と、合成樹脂製のリテーナ４０と、合成樹脂製の電線カバー５０と、電線Ｗの端末に接続された端子金具７０とを備えて構成されている。尚、以下の説明において、上下方向とは図１における上下方向を基準とし、左右方向とは図３における上下方向を基準とする。また、前後方向とは図１における左右方向を基準とし、コネクタの嵌合面側（図１の左側）を前側とする。
【００１５】
コネクタハウジング１０は、図１及び図３に示すように、全体としては箱型状をなし、コネクタハウジング１０における上面は左右方向に長い略矩形状をなす。
コネクタハウジング１０の内部には、図６に示すように、幅方向に並列する複数のキャビティ１１が上下二段に形成されている。各キャビティ１１内には、後方から端子金具７０が挿入され、キャビティ１１内に設けられた可撓性ランス１２により抜止めされている。これにより、図６に示すように、コネクタハウジング１０の後面から後方に電線Ｗが引き出された状態となっている。また、コネクタハウジング１０の前方には端子挿入孔１１Ａが形成され、図示しない相手方端子が挿入されて端子金具７０と電気的に接続可能とされている。
【００１６】
コネクタハウジング１０の上面には、図示しない相手方コネクタと係止可能なロックアーム１３が形成されている。このロックアーム１３は、図６に示すように、コネクタハウジング１０の前端の位置から後方へ片持ち状に延出された形態をなし、ロックアーム１３の後端には操作部１３Ａが形成されている。この操作部１３Ａは、下方へ押圧することで、ロックアーム１３を撓み変形させ、相手方コネクタとロックアーム１３との係止状態を解除するようになっている。
また、コネクタハウジング１０の上面におけるロックアーム１３の左右両側には、ロックアーム１３を保護するための左右一対の保護壁１４が、コネクタハウジング１０の上面に立設されている。保護壁１４は、図１及び図３に示すように、ロックアーム１３の側方をほぼ覆う大きさに形成されており、保護壁１４の後端面１４Ａは、コネクタハウジング１０の後端面１０Ａよりやや前方に位置している。
【００１７】
コネクタハウジング１０の左右両外側面には、コネクタハウジング１０の上下方向中央部に受け溝１６が形成されている。この受け溝１６は、図２に示すように、コネクタハウジング１０の後端面１０Ａから前方（コネクタハウジング１０に対する電線カバー５０の組付け方向）に向かって延びて、コネクタハウジング１０の外側面を凹ませた形態に形成されている。
また、コネクタハウジング１０の左右両外側面には、受け溝１６の上方に係止爪１７が突設されている。すなわち、係止爪１７は、図５に示すように、受け溝１６を中心として電線Ｗの導出方向側とは反対側に形成されている。
係止爪１７は、その後面が後方から前方に向かってコネクタハウジング１０の壁面から離れる方向に傾斜した押圧面１７Ａとされ、係止爪１７の前面がコネクタハウジング１０の壁面から垂直に立ちあがった形態をなしている。
【００１８】
コネクタハウジング１０の下面には、図６に示すように、リテーナ４０を収容可能なリテーナ収容部１８が形成されている。このリテーナ収容部１８は、コネクタハウジング１０の全てのキャビティ１１に連通する形態に形成されている。これにより、端子金具７０がキャビティ１１内において可撓性ランス１２によって係止された後に、リテーナ４０をリテーナ収容部１８内の正規の位置まで挿入することで、端子金具７０を可撓性ランス１２とリテーナ４０とによって二重に係止し、端子金具７０をキャビティ１１から抜止めされた状態に保持する。
【００１９】
一方、電線カバー５０は、図４に示すように、コネクタハウジング１０の後面に後方から組み付けられる構成となっている。電線カバー５０は、図６に示すように、コネクタハウジング１０の電線カバー５０の組み付け方向に沿って切断した断面形状が逆Ｌ字状をなしており、幅方向に長い背面板５１と、この背面板５１の上端の位置から前方に延びる天板５２と、背面板５１の左右両端部から前方へ突出して、背面板５１と天板５２とに一体に連なる一対の側板５３とを備えて構成されている。
【００２０】
背面板５１は、図８に示すように、上方の角部が丸みを帯びた略矩形状に形成され、電線カバー５０がコネクタハウジング１０に組み付けられた時には、コネクタハウジング１０の後端面１０Ａから後方に引き出された電線Ｗを下方に向かって屈曲させて電線カバー５０の外方に導出させる役割を果たしている。尚、電線Ｗの導出方向は、コネクタハウジング１０に設けられた受け溝１６が形成された両外側面と並行な方向となっている。
天板５２は、図３及び図７に示すように、平面視略矩形状をなし、前方端縁における中央部分には、僅かに後方に凹んだ凹部５２Ａが形成されている。凹部５２Ａは、電線カバー５０がコネクタハウジング１０に組み付けられた時に、コネクタハウジング１０における保護壁１４の後端面１４Ａに当接し、電線カバー５０を前止まりさせる役割を果たしている。また、天板５２は、図５に示すように、電線カバー５０がコネクタハウジング１０に組み付けられた時に、天板５２の内面とコネクタハウジング１０の上面と間に僅かなクリアランスが生じるように設定されている。
【００２１】
両側板５３は、図４及び図８に示すように、側面視逆Ｌ字の板状をなしており、電線カバー５０が組み付けられたコネクタハウジング１０をコネクタ取付部Ｃに取り付けたときに、側板５３とコネクタ取付部Ｃにおける後端部Ｃ１とが干渉しないように形成されている。また、側板５３は、図７に示すように、両側板５３の間にコネクタハウジング１０の後部を収容可能としている。
側板５３は、その内面に突設され前後方向（コネクタハウジング１０に対する組付け方向と同一の方向）に延びる一対のリブ５４と、リブ５４の上方に位置する係止孔５５と、リブ５４の後端部から上下方向へ延びた形態の突当部５６とを備えて構成されている。
【００２２】
リブ５４は、図２及び図３に示すように、側板５３の略中央部から前方に延びた長細い形態をなしている。また、両側板５３における天板５２とリブ５４との間に位置する部分は撓み部（本発明の「弾性係止片」に相当する）５７とされ、両撓み部５７は左右方向（側板５３の板厚方向）へ拡がるように弾性的に撓み変形可能に形成されている。これにより、撓み部５７が撓み変形した状態では、撓み部５７の板面がコネクタハウジング１０に対する組付け方向に対して斜め姿勢となる。そのため、リブ５４は撓み部５７と一体にそれぞれ左右方向へ撓み変形可能となっている。
また、撓み部５７の前方端面には、その内側に位置する角部がテーパー状に加工された受け面５７Ａが形成され、電線カバー５０をコネクタハウジング１０に組み付ける時に、係止爪１７の押圧面１７Ａと当接するように設定されている。また、リブ５４は、図５に示すように、コネクタハウジング１０に電線カバー５０が組み付けられた状態において、コネクタハウジング１０の後方部における受け溝１６よりも上方に位置する部分を天板５２と共に上下から挟み込むように配されている。
【００２３】
また、リブ５４は、その長手方向と直交する上下方向の幅寸法が受け溝１６の溝幅寸法に比べて僅かに小さく設定されており、コネクタハウジング１０の受け溝１６の内部に後方から挿入可能とされている。すなわち、リブ５４は、図５に示すように、受け溝１６における上下に位置する内壁と、リブ５４の上下に位置する外壁との間に僅かなクリアランスを有した状態で、受け溝１６内に挿入可能とされている。これにより、コネクタハウジング１０に対して電線カバー５０を円滑に組み付けることができるようになっている。
また、リブ５４の先端における上下に位置する角部はテーパー状に加工され、リブ５４が受け溝１６に対して挿入し易いようになっている。
【００２４】
係止孔５５は側板５３を左右方向に貫通して形成されている。係止孔５５は、その前後方向の長さ寸法が係止爪１７の前後方向の長さ寸法よりも大きく設定されており、係止孔５５内に係止爪１７を収容可能としている。すなわち、係止孔５５は、図４に示すように、係止爪１７の前後に位置する外壁と、係止孔５５の前後に位置する内壁との間に僅かなクリアランスを有した状態で、係止爪１７を収容可能としている。これにより、コネクタハウジング１０に対して電線カバー５０を円滑に組み付けることができるようになっている。
【００２５】
一方、突当部５６は、図３及び図８に示すように、リブ５４よりも電線カバー５０の内側に突出した形態に形成されている。また、突当部５６は、電線カバー５０の天板５２から側板５３の上下方向略中央部まで延びた形態に形成され、その高さ寸法は、コネクタハウジング１０の厚み寸法とほぼ同一に設定されている。また、電線カバー５０がコネクタハウジング１０に組み付けられた時には、図７に示すように、突当部５６の前端面５６Ａがコネクタハウジング１０の後端面１０Ａと当接するように構成されている。
【００２６】
さて、コネクタハウジング１０の受け溝１６における上下に位置する後方開口縁には、一対の傾斜面１９が形成されている。上方に位置する傾斜面１９は、図１に示すように、受け溝１６における係止爪１７の押圧面１７Ａの後方位置から後方に向かって斜め上方に延出された面とされ、下方に位置する傾斜面１９は、受け溝１６における係止爪１７の押圧面１７Ａの後方位置から後方に向かって斜め下方に延出された面とされている。すなわち、受け溝１６における後方開口縁は、後方に向かって間口が広くなるような形態をなしている。
【００２７】
一方、リブ５４には、一対の傾斜当接面５８が形成されている。この傾斜当接面５８は、図２に示すように、リブ５４の基端部に位置して後方に向かって拡幅した形態に形成されている。傾斜当接面５８は、図５に示すように、電線カバー５０がコネクタハウジング１０に組み付けられた時に、受け溝１６の一対の傾斜面１９と面接触するように設定されている。また、この傾斜当接面５８と傾斜面１９とは、図５に示すように、電線カバー５０が、電線カバー５０とコネクタハウジング１０との間に生じるクリアランスの影響により、係止爪１７の周辺を回動中心として電線カバー５０の下端部が前後方向に円弧を描くような方向Ｙと交差するように設定されている。
【００２８】
本実施形態は以上のような構成であって、続いてその作用効果を説明する。
コネクタハウジング１０の後端面１０Ａには、コネクタハウジング１０から引き出された電線Ｗを下方に屈曲させるようにして、後方から電線カバー５０が組み付けられる。組み付けに際して、まず、電線カバー５０のリブ５４をコネクタハウジング１０の受け溝１６内に後方から挿入し、コネクタハウジング１０に対して電線カバー５０を正規の位置まで案内する。尚、リブ５４の外壁と受け溝１６の内壁との間にクリアランスを有した状態で、受け溝１６内に挿入されることから、コネクタハウジング１０に対して電線カバー５０を円滑に組み付けることができる。
【００２９】
次に、この組み付け過程において、電線カバー５０の側板５３における受け面５７Ａがコネクタハウジング１０における係止爪１７の押圧面１７Ａに当接する。そして、更に電線カバー５０の組み付けを進めると、押圧面１７Ａによって、側板５３における撓み部５７が外方に広がるように撓み変形する。このまま更に続けて電線カバー５０の組み付けを進め、電線カバー５０の突当部５６の前端面５６Ａとコネクタハウジング１０の後端面１０Ａとが当接する正規の位置まで組み付けられると撓み部５７が弾性復帰して、係止爪１７が係止孔５５に収容される。これにより、撓み部５７と係止爪１７とが係止して、電線カバー５０は、コネクタハウジング１０から後方へ離脱することを規制される。尚、係止孔５５は、係止爪１７の前後に位置する外壁と、係止孔５５の前後に位置する内壁との間にクリアランスを有した状態で、係止爪１７を収容可能としていることから、コネクタハウジング１０に対して電線カバー５０を円滑に組み付けることができる。
【００３０】
また、電線カバー５０が正規の位置まで組み付けられると、図６に示すように、受け溝１６における傾斜面１９と、リブ５４における傾斜当接面５８とが面接触し、互いに密着可能な状態となる。これにより、電線カバー５０の下端部が、係止爪１７の周辺を回動中心として前後方向に円弧を描くような方向Ｙへと変位しようとすると傾斜面１９と傾斜当接面５８とが密着し、コネクタハウジング１０に対して電線カバー５０がガタつくことを抑制することができる。
【００３１】
以上のように本実施形態においては、コネクタハウジング１０の受け溝１６の後方開口縁に一対の傾斜面１９を形成し、電線カバー５０のリブ５４に、傾斜面１９と面接触可能な一対の傾斜当接面５８を形成したことで、コネクタハウジング１０に対する電線カバー５０の組み付け作業性を損なうことなく、電線カバー５０の下端部が、係止爪１７の周辺を回動中心として前後方向に円弧を描くような方向Ｙへと変位することを規制することができる。すなわち、コネクタハウジング１０に対する電線カバー５０の組み付け作業性を悪化させることなく、コネクタハウジング１０に対する電線カバー５０のガタつきを抑制することができる。
【００３２】
以下に、本発明に関連するものとして、コネクタハウジングに対する電線カバーのガタつきを抑制する技術を開示する。
＜参考例１＞
参考例１について、図９及び図１０を参照しながら説明する。
参考例１に係るコネクタは、図９に示すように、本発明の実施形態の受け溝１６の後方開口縁と、リブ５４との形態を変更したものであって、本発明の実施形態と同じ構成、作用、および効果については重複するため、その説明を省略し、本発明の実施形態と同じ構成については、本発明の実施形態と同一の符号を用いるものとする。
【００３３】
参考例１に係るコネクタハウジング２０における受け溝２１は、図９に示すように、前方から後方まで同一の形状に設けられ、後方開口縁の角部は僅かに丸みを帯びた形態をなしている。一方、電線カバー６０におけるリブ６１には、本発明の実施形態に係る傾斜当接面５８が形成されておらず、前後方向略中央部の位置に一対の弾性突部６２が形成されている。この両弾性突部６２は、リブ６１の上下方向外側面が略円弧状に膨出した形態に形成され、両弾性突部６２の間には弾性突部６２が上下から押圧された際に、撓み変形可能なように撓み空間６３が形成されている。
これにより、コネクタハウジング２０に電線カバー６０が後方から組み付けられる組み付け過程において、リブ６１を受け溝２１内に後方から挿入したときには、図１０に示すように、受け溝２１における上下に位置する内壁によって、両弾性突部６２が上下方向から押圧された状態となる。すなわち、電線カバー６０におけるリブ６１が受け溝２１の上下に位置する内壁によって、挟み付けられた状態となって、電線カバー６０がコネクタハウジング２０に対して弾性的に組み付けられた状態となり、コネクタハウジング２０に対する電線カバー６０のガタつきを抑制することができる。
【００３４】
＜参考例２＞
参考例２について、図１１を参照して説明する。
参考例２に係るコネクタは、図１１に示すように、本発明の実施形態の受け溝１６と、リブ５４との形態を変更したものであって、本発明の実施形態と同じ構成、作用、および効果については重複するため、その説明を省略し、本発明の実施形態と同じ構成については、本発明の実施形態と同一の符号を用いるものとする。
【００３５】
参考例２に係るコネクタハウジング２５における受け溝２６は、図１１に示すように、前方から後方まで同一の形状に設けられ、後方開口縁の角部は僅かに丸みを帯びた形態をなしている。また、受け溝２６の下方には間隔をあけて補助受け溝２７が形成されている。この補助受け溝２７は受け溝２６とほぼ同一の形状に形成され、受け溝２６と平行に形成されている。一方、電線カバー６５におけるリブ６６は、先端のテーパー加工した位置から後方まで直線的に同一形状に設けられている。また、リブ６６の下方には、間隔をあけて、且つ、コネクタハウジング２５の補助受け溝２７に挿入可能な補助リブ６７が形成されている。この補助リブ６７は、リブ６６とほぼ同一の形状に形成され、リブ６６と平行に形成されている。
これにより、コネクタハウジング２５に電線カバー６５を後方から組み付けられたときには、図１１に示すように、電線カバー６５における天板５２と、リブ６６と、補助リブ６７とによって、コネクタハウジング２５の幅方向両端部における後方部を挟み付けた状態となる。また、補助リブ６７は、リブ６６が配されている位置よりも、電線カバー５０の下端部が係止爪１７の周辺を回動中心として前後方向に円弧を描くようなガタつきの回動中心から離れた位置に配されている。これにより、参考例２に係るコネクタは、一組の受け溝２６及びリブ６６のみが形成されている場合に比べて、電線カバー５０の下端部が、係止爪１７の周辺を回動中心として前後方向に円弧を描くような方向Ｙへの変位をより規制することができ、コネクタハウジング２５に対する電線カバー６５のガタつきをより抑制することができる。
【００３６】
＜他の実施形態＞
本発明は上記記述及び図面によって説明した実施形態に限定されるものではなく、例えば次のような実施形態も本発明の技術的範囲に含まれる。
（１）上記実施形態では、電線カバー５０を電線Ｗを下方に導出するように構成したが、本発明はこのような態様に限定されるものではなく、電線Ｗを上方や側方（左右方向）に導出するように構成してもよい。
（２）上記実施形態では、コネクタハウジング１０の上面にロックアーム１３を形成した構成としたが、本発明はこのような態様に限定されるものではなく、ロックアーム１３をコネクタハウジング１０の下面や側面に形成してもよい。
（３）上記実施形態では、受け溝１６の傾斜面１９とリブ５４の傾斜当接面５８とを、電線カバー５０の下端部が係止爪１７の周辺を回動中心として前後方向に円弧を描くような方向Ｙに対して交差するように形成したが、本発明はこのような態様に限定されるものではなく、コネクタハウジング２０に対して電線カバー５０が変位（ガタつき）しようとした際に、傾斜面１９と傾斜当接面５８とが面接触するように形成されていればよい。
【符号の説明】
【００３７】
１０：コネクタハウジング
１６：受け溝
１７：係止爪
１９：傾斜面
５０：電線カバー
５４：リブ
５５：係止孔
５７：撓み部（弾性係止片）
５８：傾斜当接面
７０：端子金具
Ｗ  ：電線
【図１】
2012054206.tif 000003
【図２】
2012054206.tif 000004
【図３】
2012054206.tif 000005
【図４】
2012054206.tif 000006
【図５】
2012054206.tif 000007
【図６】
2012054206.tif 000008
【図７】
2012054206.tif 000009
【図８】
2012054206.tif 000010
【図９】
2012054206.tif 000011
【図１０】
2012054206.tif 000012
【図１１】
2012054206.tif 000013